(57)【要約】【課題】  取得者のＩＤタグに応じてユーザ毎に異なる属性情報の取得を制御可能とし、その属性情報へのアクセス制御を容易に行うことが可能な属性情報検索システムを提供する。【解決手段】  ＲＦＩＤタグ（＃１）２Ａにはその物品（図示せず）を示すＩＤ情報が、ＲＦＩＤタグ（＃２）２Ｂにはその物品の属性情報を取得する取得者を示すＩＤ情報がそれぞれ書込まれている。情報検索サーバ１のリーダ１１はＲＦＩＤタグ（＃１，＃２）２Ａ，２ＢからＩＤを読取り、情報検索手段１２はその読取ったＩＤを基に名前解決サーバ３から属性ＤＢ（＃１〜＃３）４Ａ，４Ｂ，４Ｃのアドレスを取得し、そのアドレスを基に属性ＤＢ（＃１〜＃３）４Ａ，４Ｂ，４Ｃから属性情報を取得する。表示手段１３は情報検索手段１２が取得した属性情報を表示する。【選択図】      図１                                                  
2005182672.tif 000002
【特許請求の範囲】
【請求項１】
少なくとも物品の属性情報を蓄積する属性データベースと、
前記物品に対応する識別情報を保持する第１の保持媒体及び前記属性情報を取得する取得者を示す他の識別情報を保持する第２の保持媒体各々から前記識別情報及び前記他の識別情報を読取るリーダと、
前記リーダが読取った前記識別情報及び前記他の識別情報の組合せに応じて前記属性データベースから前記識別情報及び他の識別情報に対応する属性情報を取得する情報検索手段とを有することを特徴とする属性情報検索システム。
【請求項２】
前記リーダは、前記識別情報を読取る第１のリーダと、前記他の識別情報を読取る第２のリーダとを少なくとも含むことを特徴とする請求項１記載の属性情報検索システム。
【請求項３】
前記リーダが読取った前記識別情報及び前記他の識別情報の組合せに応じて前記属性データベースのアドレスを解決する解決サーバを含み、
前記情報検索手段は、前記解決サーバで解決されたアドレスを基に前記属性データベースから前記属性情報を取得することを特徴とする請求項１または請求項２記載の属性情報検索システム。
【請求項４】
前記情報検索手段は、前記アドレスを基に前記属性情報のうちの前記取得者毎に参照可能な情報を制御することを特徴とする請求項３記載の属性情報検索システム。
【請求項５】
前記解決サーバは、前記識別情報と前記他の識別情報との組合せに応じて解決アドレスを変えることを特徴とする請求項３または請求項４記載の属性情報検索システム。
【請求項６】
各種情報を取得するセンサを含み、
前記解決サーバは、前記識別情報と前記他の識別情報と前記各種情報との組合せに応じて解決アドレスを変えることを特徴とする請求項３または請求項４記載の属性情報検索システム。
【請求項７】
前記センサは、位置情報を取得する位置情報センサであることを特徴とする請求項６記載の属性情報検索システム。
【請求項８】
前記第１及び第２の保持媒体は、少なくともＲＦＩＤ（Ｒａｄｉｏ  Ｆｒｅｑｕｅｎｃｙ  ＩＤｅｎｔｉｆｉｃａｔｉｏｎ）タグ及びバーコードを含む印刷コード記録媒体のいずれかであることを特徴とする請求項１から請求項７のいずれか記載の属性情報検索システム。
【請求項９】
少なくとも物品の属性情報を蓄積する属性データベースを含むシステムにおいて前記属性情報を検索する属性情報検索装置であって、
前記物品に対応する識別情報を保持する第１の保持媒体及び前記属性情報を取得する取得者を示す他の識別情報を保持する第２の保持媒体各々から前記識別情報及び前記他の識別情報を読取るリーダと、
前記リーダが読取った前記識別情報及び前記他の識別情報の組合せに応じて前記属性データベースから前記識別情報及び他の識別情報に対応する属性情報を取得する情報検索手段とを有することを特徴とする属性情報検索装置。
【請求項１０】
前記リーダは、前記識別情報を読取る第１のリーダと、前記他の識別情報を読取る第２のリーダとを少なくとも含むことを特徴とする請求項９記載の属性情報検索装置。
【請求項１１】
前記情報検索手段は、解決サーバが前記リーダが読取った前記識別情報及び前記他の識別情報の組合せに応じて解決した前記属性データベースのアドレスを基に前記属性データベースから前記属性情報を取得することを特徴とする請求項９または請求項１０記載の属性情報検索装置。
【請求項１２】
前記情報検索手段は、前記アドレスを基に前記属性情報のうちの前記取得者毎に参照可能な情報を制御することを特徴とする請求項１１記載の属性情報検索装置。
【請求項１３】
前記解決サーバから取得するアドレスは、前記識別情報と前記他の識別情報との組合せに応じて変化することを特徴とする請求項１１または請求項１２記載の属性情報検索装置。
【請求項１４】
各種情報を取得するセンサを含み、
前記解決サーバから取得するアドレスは、前記識別情報と前記他の識別情報と前記各種情報との組合せに応じて変化することを特徴とする請求項１１または請求項１２記載の属性情報検索装置。
【請求項１５】
前記センサは、位置情報を取得する位置情報センサであることを特徴とする請求項１４記載の属性情報検索装置。
【請求項１６】
前記第１及び第２の保持媒体は、少なくともＲＦＩＤ（Ｒａｄｉｏ  Ｆｒｅｑｕｅｎｃｙ  ＩＤｅｎｔｉｆｉｃａｔｉｏｎ）タグ及びバーコードを含む印刷コード記録媒体のいずれかであることを特徴とする請求項９から請求項１５のいずれか記載の属性情報検索装置。
【請求項１７】
物品に対応する識別情報を保持する第１の保持媒体及び前記属性情報を取得する取得者を示す他の識別情報を保持する第２の保持媒体各々から前記識別情報及び前記他の識別情報を読取るリーダと、
少なくとも前記物品の属性情報を蓄積する属性データベースから前記リーダが読取った前記識別情報及び前記他の識別情報の組合せに応じて前記識別情報及び他の識別情報に対応する属性情報を取得する情報検索手段とを有することを特徴とする属性情報検索端末。
【請求項１８】
前記リーダは、前記識別情報を読取る第１のリーダと、前記他の識別情報を読取る第２のリーダとを少なくとも含むことを特徴とする請求項１７記載の属性情報検索端末。
【請求項１９】
前記情報検索手段は、解決サーバが前記リーダが読取った前記識別情報及び前記他の識別情報の組合せに応じて解決した前記属性データベースのアドレスを基に前記属性データベースから前記属性情報を取得することを特徴とする請求項１７または請求項１８記載の属性情報検索端末。
【請求項２０】
前記情報検索手段は、前記アドレスを基に前記属性情報のうちの前記取得者毎に参照可能な情報を制御することを特徴とする請求項１９記載の属性情報検索端末。
【請求項２１】
前記解決サーバから取得するアドレスは、前記識別情報と前記他の識別情報との組合せに応じて変化することを特徴とする請求項１９または請求項２０記載の属性情報検索端末。
【請求項２２】
各種情報を取得するセンサを含み、
前記解決サーバから取得するアドレスは、前記識別情報と前記他の識別情報と前記各種情報との組合せに応じて変化することを特徴とする請求項１９または請求項２０記載の属性情報検索端末。
【請求項２３】
前記センサは、位置情報を取得する位置情報センサであることを特徴とする請求項２２記載の属性情報検索端末。
【請求項２４】
前記第１及び第２の保持媒体は、少なくともＲＦＩＤ（Ｒａｄｉｏ  Ｆｒｅｑｕｅｎｃｙ  ＩＤｅｎｔｉｆｉｃａｔｉｏｎ）タグ及びバーコードを含む印刷コード記録媒体のいずれかであることを特徴とする請求項１７から請求項２３のいずれか記載の属性情報検索端末。
【請求項２５】
少なくとも物品の属性情報を蓄積する属性データベースを含むシステムにおいて前記属性情報を検索する属性情報検索装置に用いられる属性情報検索方法であって、前記属性情報検索装置側に、物品に対応する識別情報を保持する第１の保持媒体から前記識別情報をリーダで読取るステップと、前記属性情報を取得する取得者を示す他の識別情報を保持する第２の保持媒体から前記他の識別情報を前記リーダで読取るステップと、前記リーダで読取った前記識別情報及び前記他の識別情報の組合せに応じて前記属性データベースから前記識別情報及び他の識別情報に対応する属性情報を取得するステップとを有することを特徴とする属性情報検索方法。
【請求項２６】
前記リーダは、前記識別情報を読取る第１のリーダと、前記他の識別情報を読取る第２のリーダとを少なくとも含むことを特徴とする請求項２５記載の属性情報検索方法。
【請求項２７】
前記属性情報検索装置側に、前記物品に付けられた識別情報タグに書込まれた識別情報を基に前記属性データベースのアドレスを解決する解決サーバから前記リーダで読取った前記識別情報及び前記他の識別情報の組合せに応じて前記属性データベースのアドレスを取得するステップを含み、
前記属性情報を取得するステップは、その取得したアドレスを基に前記属性データベースから前記属性情報を取得することを特徴とする請求項２５または請求項２６記載の属性情報検索方法。
【請求項２８】
前記属性情報を取得するステップは、前記アドレスを基に前記属性情報のうちの前記取得者毎に参照可能な情報を制御することを特徴とする請求項２７記載の属性情報検索方法。
【請求項２９】
前記解決サーバから取得するアドレスは、前記識別情報と前記他の識別情報との組合せに応じてを変化することを特徴とする請求項２７または請求項２８記載の属性情報検索方法。
【請求項３０】
前記属性情報検索装置側に、センサで各種情報を取得するステップを含み、
前記解決サーバから取得するアドレスは、前記識別情報と前記他の識別情報と前記各種情報との組合せに応じて変化することを特徴とする請求項２７または請求項２８記載の属性情報検索方法。
【請求項３１】
前記センサは、位置情報を取得する位置情報センサであることを特徴とする請求項３０記載の属性情報検索方法。
【請求項３２】
前記第１及び第２の保持媒体は、少なくともＲＦＩＤ（Ｒａｄｉｏ  Ｆｒｅｑｕｅｎｃｙ  ＩＤｅｎｔｉｆｉｃａｔｉｏｎ）タグ及びバーコードを含む印刷コード記録媒体のいずれかであることを特徴とする請求項２５から請求項３２のいずれか記載の属性情報検索方法。
【請求項３３】
少なくとも物品の属性情報を蓄積する属性データベースを含むシステムにおいて前記属性情報を検索する属性情報検索装置に用いられる属性情報検索方法のプログラムであって、前記属性情報検索装置のコンピュータに、物品に対応する識別情報を保持する第１の保持媒体から前記識別情報をリーダで読取る処理と、前記属性情報を取得する取得者を示す他の識別情報を保持する第２の保持媒体から前記他の識別情報を前記リーダで読取る処理と、前記リーダで読取った前記識別情報及び前記他の識別情報の組合せに応じて前記属性データベースから前記識別情報及び他の識別情報に対応する属性情報を取得する処理とを実行させるためのプログラム。
【発明の詳細な説明】
【技術分野】
【０００１】
本発明は属性情報検索システム、属性情報検索装置、属性情報検索端末及びそれらに用いる属性情報検索方法に関し、特にＲＦＩＤ（Ｒａｄｉｏ  Ｆｒｅｑｕｅｎｃｙ  ＩＤｅｎｔｉｆｉｃａｔｉｏｎ）を用いた情報検索に関する。
【背景技術】
【０００２】
ＲＦＩＤはＩＤ番号を持つ小さいタグを、無線にて認識できるようにする技術であり、移動体識別または無線周波認識とも呼ばれている。この技術を使用するタグは、ＲＦＩＤタグ、無線タグ、ＩＣ（集積回路）タグ等と呼ばれている。
【０００３】
上記のタグを用いて情報検索を行うシステムとしては、安価なタグにＩＤだけを書込み、そのタグが貼付（搭載）される商品等の属性情報をネットワークを経由して属性情報データベースから読出すシステムが開発されている。尚、上記のタグを用いるシステムとしては、タグから読出されたＩＤに対応するサービスを提供するシステム等も提案されている（例えば、特許文献１〜３）。
【０００４】
【特許文献１】特開２０００−１８７７１５号公報
【特許文献２】特開２００２−２８８６０２号公報
【特許文献３】特開２００３−２６３５４４号公報
【発明の開示】
【発明が解決しようとする課題】
【０００５】
しかしながら、上述した従来の情報検索のシステムでは、属性情報としてアクセス制御に応じて異なるユーザに異なる情報を見せる制御が必要であり、そのアクセス制御にはパスワードによる認証等を必要とすることが一般的である。しかしながら、パスワードによる認証等では入力がめんどうであり、またパスワードが盗まれるという問題がある。
【０００６】
そこで、本発明の目的は上記の問題点を解消し、取得者のＩＤタグに応じてユーザ毎に異なる属性情報の取得を制御することができ、その属性情報へのアクセス制御を容易に行うことができる属性情報検索システム、属性情報検索装置、属性情報検索端末及びそれらに用いる属性情報検索方法を提供することにある。
【課題を解決するための手段】
【０００７】
本発明による属性情報検索システムは、少なくとも物品の属性情報を蓄積する属性データベースと、
前記物品に対応する識別情報を保持する第１の保持媒体及び前記属性情報を取得する取得者を示す他の識別情報を保持する第２の保持媒体各々から前記識別情報及び前記他の識別情報を読取るリーダと、
前記リーダが読取った前記識別情報及び前記他の識別情報の組合せに応じて前記属性データベースから前記識別情報及び他の識別情報に対応する属性情報を取得する情報検索手段とを備えている。
【０００８】
本発明による属性情報検索装置は、少なくとも物品の属性情報を蓄積する属性データベースを含むシステムにおいて前記属性情報を検索する属性情報検索装置であって、
前記物品に対応する識別情報を保持する第１の保持媒体及び前記属性情報を取得する取得者を示す他の識別情報を保持する第２の保持媒体各々から前記識別情報及び前記他の識別情報を読取るリーダと、
前記リーダが読取った前記識別情報及び前記他の識別情報の組合せに応じて前記属性データベースから前記識別情報及び他の識別情報に対応する属性情報を取得する情報検索手段とを備えている。
【０００９】
本発明による属性情報検索端末は、物品に対応する識別情報を保持する第１の保持媒体及び前記属性情報を取得する取得者を示す他の識別情報を保持する第２の保持媒体各々から前記識別情報及び前記他の識別情報を読取るリーダと、
少なくとも前記物品の属性情報を蓄積する属性データベースから前記リーダが読取った前記識別情報及び前記他の識別情報の組合せに応じて前記識別情報及び他の識別情報に対応する属性情報を取得する情報検索手段とを備えている。
【００１０】
本発明による属性情報検索方法は、少なくとも物品の属性情報を蓄積する属性データベースを含むシステムにおいて前記属性情報を検索する属性情報検索装置に用いられる属性情報検索方法であって、前記属性情報検索装置側に、物品に対応する識別情報を保持する第１の保持媒体から前記識別情報をリーダで読取るステップと、前記属性情報を取得する取得者を示す他の識別情報を保持する第２の保持媒体から前記他の識別情報を前記リーダで読取るステップと、前記リーダで読取った前記識別情報及び前記他の識別情報の組合せに応じて前記属性データベースから前記識別情報及び他の識別情報に対応する属性情報を取得するステップとを備えている。
【００１１】
本発明による属性情報検索方法のプログラムは、少なくとも物品の属性情報を蓄積する属性データベースを含むシステムにおいて前記属性情報を検索する属性情報検索装置に用いられる属性情報検索方法のプログラムであって、前記属性情報検索装置のコンピュータに、物品に対応する識別情報を保持する第１の保持媒体から前記識別情報をリーダで読取る処理と、前記属性情報を取得する取得者を示す他の識別情報を保持する第２の保持媒体から前記他の識別情報を前記リーダで読取る処理と、前記リーダで読取った前記識別情報及び前記他の識別情報の組合せに応じて前記属性データベースから前記識別情報及び他の識別情報に対応する属性情報を取得する処理とを実行させている。
【００１２】
すなわち、本発明の属性情報検索システムは、物品等に付けられたＩＤ（識別情報）タグに書込まれたＩＤを読取り、読取ったＩＤからその物品等の属性情報を蓄積する属性データベースのアドレスを解決し、そのアドレスを基に属性データベースからＩＤに対応する属性情報を取得するシステムにおいて、その属性情報を取得する取得者の情報を別のＩＤタグから読取り、上記のＩＤタグ及び別のＩＤタグからそれぞれ読取った複数のＩＤの組合せに応じて解決アドレスを変えることによって、その物品等の属性情報のうちの取得者毎に参照可能な情報を制御することを特徴とする。
【００１３】
これによって、本発明の属性情報検索システムでは、同一の物品について、取得者のＩＤタグに応じて異なるユーザからの属性情報の取得を制御することが可能となり、その属性情報へのアクセス制御が容易となる。例えば、販売店の店員、販売店の買い物客（会員）、販売店の買い物客（一般）という取得者の違いに応じて取得可能な情報を変えることが容易となる。
【発明の効果】
【００１４】
本発明は、以下に述べるような構成及び動作とすることで、取得者のＩＤタグに応じてユーザ毎に異なる属性情報の取得を制御することができ、その属性情報へのアクセス制御を容易に行うことができるという効果が得られる。
【発明を実施するための最良の形態】
【００１５】
次に、本発明の実施例について図面を参照して説明する。図１は本発明の一実施例による属性情報検索システムの構成を示すブロック図である。図１において、本発明の一実施例による属性情報検索システムは情報検索サーバ１と、ＲＦＩＤ（Ｒａｄｉｏ  Ｆｒｅｑｕｅｎｃｙ  ＩＤｅｎｔｉｆｉｃａｔｉｏｎ）タグ（＃１，＃２）２Ａ，２Ｂと、名前解決サーバ３と、属性ＤＢ（データベース）（＃１〜＃３）４Ａ，４Ｂ，４Ｃとから構成されている。
【００１６】
情報検索サーバ１はＲＦＩＤタグ（＃１，＃２）２Ａ，２ＢからＩＤを読取るリーダ１１と、その読取ったＩＤを基に名前解決サーバ３から属性ＤＢ（＃１〜＃３）４Ａ，４Ｂ，４Ｃのアドレスを取得しかつそのアドレスを基に属性ＤＢ（＃１〜＃３）４Ａ，４Ｂ，４Ｃから属性情報を取得する情報検索手段１２と、情報検索手段１２が取得した属性情報を表示する表示手段１３と、自サーバ内の各部の処理を実現するためのプログラムを格納する記録媒体１４とを備えている。
【００１７】
また、ＲＦＩＤタグ（＃１）２Ａにはその物品（図示せず）を示すＩＤ情報が、ＲＦＩＤタグ（＃２）２Ｂにはその物品の属性情報を取得する取得者を示すＩＤ情報がそれぞれ書込まれている。尚、ＲＦＩＤタグは３枚以上に拡張することが可能であり、例えば第三のタグで位置情報を取得し、その条件を加えて属性取得を制御することも可能である。
【００１８】
名前解決サーバ３は情報検索サーバ１から問合せのあったＩＤを基に、そのＩＤに対応する属性情報が格納された属性ＤＢ（＃１〜＃３）４Ａ，４Ｂ，４Ｃのアドレスを情報検索サーバ１に返す。
【００１９】
属性ＤＢ（＃１〜＃３）４Ａ，４Ｂ，４Ｃには、ＲＦＩＤタグ（＃１）２Ａ及びＲＦＩＤタグ（＃２）２Ｂにそれぞれ書込まれたＩＤ情報の組合せに対応して異なる属性情報が格納されている。
【００２０】
但し、リーダ１１と表示手段１３とを端末装置として情報検索サーバ１とは独立に配設することも可能である。また、本実施例ではリーダ１１をＲＦＩＤタグ（＃１，＃２）２Ａ，２ＢからそれぞれＩＤを読取る共通のリーダとしているが、ＲＦＩＤタグ（＃１）２ＡからＩＤを読取る第１のリーダ及びＲＦＩＤタグ（＃１，＃２）２Ａ，２ＢからＩＤを読取る第２のリーダというように、ＲＦＩＤタグ（＃１，＃２）２Ａ，２Ｂ各々専用にＩＤを読取る複数のリーダとしてもよい。
【００２１】
さらに、本実施例ではＲＦＩＤタグに物品及び取得者のＩＤ情報を記憶させているが、物品及び取得者のＩＤ情報を示すバーコードのような印刷コード等が印刷された媒体とすることも可能である。この場合、物品及び取得者のＩＤ情報の一方をＲＦＩＤタグとし、他方を印刷コード等が印刷された媒体とすることも、両方を印刷コード等が印刷された媒体、あるいはＲＦＩＤタグとすることも可能である。
【００２２】
さらにまた、本実施例ではＲＦＩＤタグに取得者のＩＤ情報を記憶させているが、取得者のＩＤ情報としては、指紋、虹彩、顔（例えば、顔の輪郭）等のバイオメトリクス情報、筆跡情報、印刷コード情報、パスワードとの組合せ情報とすることも可能である。
【００２３】
図２は図１の名前解決サーバ３１で用いられるテーブルの構成例を示す図である。図２において、このテーブルには物品等に付けられたＲＦＩＤタグ（＃１）２Ａから読取られる第一のＩＤと、取得者のＲＦＩＤタグ（＃２）２Ｂから読取られる第二のＩＤとの組合せにて参照される属性ＤＢ（＃１〜＃３）４Ａ，４Ｂ，４Ｃのアドレスが格納されている。
【００２４】
つまり、上記のテーブルには第一のＩＤとして「０１．００００Ａ８９．０００１６Ｆ．０００１０９ＤＣ０」が入力され、第二のＩＤとして「０１．００００Ｆ２１．０００２ＦＢ．０００８２０ＡＡ０」が入力された場合に属性ＤＢ（＃１）４Ａのアドレス「１３３．２０５．６４．１２０」が情報検索サーバ１に出力される。
【００２５】
また、上記のテーブルには第一のＩＤとして「０１．００００Ａ８９．０００１６Ｆ．０００１０９ＤＣ０」が入力され、第二のＩＤとして「０１．００００Ｆ２１．０００２ＦＢ．０００２２０Ｂ１２」が入力された場合に属性ＤＢ（＃２）４Ｂのアドレス「１３３．２０５．６５．１０１」が情報検索サーバ１に出力される。
【００２６】
さらに、上記のテーブルには第一のＩＤとして「０１．００００Ａ８９．０００１６Ｆ．０００１０９ＤＣ０」が入力され、第二のＩＤとして何も入力されない（「＊」）場合に属性ＤＢ（＃３）４Ｃのアドレス「１３３．２０５．６５．１１３」が情報検索サーバ１に出力される。
【００２７】
図３は図１の属性ＤＢ（＃１〜＃３）４Ａ，４Ｂ，４Ｃ各々の蓄積内容例を示す図である。図３においては、属性ＤＢ（＃１）４Ａに店員向けの属性情報が、属性ＤＢ（＃２）４Ｂに会員顧客向けの属性情報が、属性ＤＢ（＃３）４Ｃに一般顧客向けの属性情報が格納されている。
【００２８】
つまり、属性ＤＢ（＃１）４Ａには店員向けの属性情報として、第一のＩＤ「０１．００００Ａ８９．０００１６Ｆ．０００１０９ＤＣ０」に対応して「ビーフシチュー缶詰」が、「２００３．９．１」現在、「スーパー○○  ××店  ５Ｆ  食品棚Ａ−２」にあることが格納されている。
【００２９】
また、属性ＤＢ（＃２）４Ｂには会員顧客向けの属性情報として、第一のＩＤ「０１．００００Ａ８９．０００１６Ｆ．０００１０９ＤＣ０」に対応して「ビーフシチュー缶詰」が「国産牛肉（長野産）、ニンジン（千葉産、有機栽培）、ジャガイモ（北海道、低農薬栽培）、…」からなることが格納されている。
【００３０】
さらに、属性ＤＢ（＃３）４Ｃには一般顧客向けの属性情報として、第一のＩＤ「０１．００００Ａ８９．０００１６Ｆ．０００１０９ＤＣ０」に対応して「ビーフシチュー缶詰」であることが格納されている。
【００３１】
図４は図１の情報検索サーバ１の属性情報検索動作を示すフローチャートである。これら図１〜図３を参照して本発明の一実施例による情報検索サーバ１の属性情報検索動作について説明する。尚、図４に示す動作は情報検索サーバ１内のＣＰＵ（中央処理装置）（図示せず）が記録媒体１４のプログラムを実行することで実現される。
【００３２】
情報検索サーバ１のリーダ１１はＲＦＩＤタグ（＃１，＃２）２Ａ，２Ｂを検出すると（図４ステップＳ１）、ＲＦＩＤタグ（＃１，＃２）２Ａ，２Ｂから第一のＩＤ及び第二のＩＤを読取り、ＩＤ＃１，ＩＤ＃２の値を得る（図４ステップＳ２）。
【００３３】
ここで、ＩＤの読取りは読取り終了を示すボタンが押下された時、あるいは第一のＩＤが読取られてから予め設定された所定時間が経過した時に読取り終了と判定される（図４ステップＳ３）。但し、本実施例では第一のＩＤ及び第二のＩＤに基づいて属性ＤＢ（＃１〜＃３）４Ａ，４Ｂ，４Ｃ各々のアドレスを取得しているため、第二のＩＤが読取られた段階で読取り終了としてもよい。
【００３４】
また、ＩＤの読取りとしては、第一のＩＤ及び第二のＩＤの読取りを同じ回数だけ連続して行っても、または第二のＩＤを一回読取りかつ第一のＩＤを複数回読取るようにしてもよい。
【００３５】
情報検索サーバ１の情報検索手段１２はリーダ１１が読取ったＩＤ＃１，ＩＤ＃２の値の組合せで名前解決サーバ３に問合せる（図４ステップＳ４）。名前解決サーバ３は情報検索サーバ１からのＩＤ＃１，ＩＤ＃２の値の組合せに対して、属性ＤＢ（＃１〜＃３）４Ａ，４Ｂ，４Ｃのアドレスを情報検索サーバ１に返す。
【００３６】
尚、情報検索手段１２の検索に際しては、検索の都度、上記の第一のＩＤ及び第二のＩＤを送信する方法、第一のＩＤ及び第二のＩＤを別々に送信する方法、第一のＩＤ及び第二のＩＤをまとめて送信する方法等が考えられる。
【００３７】
情報検索サーバ１の情報検索手段１２は名前解決サーバ３から属性ＤＢ（＃１〜＃３）４Ａ，４Ｂ，４Ｃのアドレスを取得すると（図４ステップＳ５）、そのアドレスによって属性ＤＢ（＃１〜＃３）４Ａ，４Ｂ，４Ｃに対してＩＤ＃１の情報を問合せ、属性ＤＢ（＃１〜＃３）４Ａ，４Ｂ，４ＣからＩＤ＃１の属性情報を取得し（図４ステップＳ６）、その属性情報を表示手段１３に表示する（図４ステップＳ７）。情報検索サーバ１は上記の処理を属性情報の取得処理が終了するまで（図４ステップＳ８）、繰り返し行う。
【００３８】
例えば、ＩＤ＃１として「０１．００００Ａ８９．０００１６Ｆ．０００１０９ＤＣ０」がリーダ１１にて読取られた時、店員の持つ社員証カードのＲＦＩＤタグ（＃２）２ＢからＩＤ＃２として「０１．００００Ｆ２１．０００２ＦＢ．０００８２０ＡＡ０」がリーダ１１にて読取られると、情報検索手段１２はそれらのＩＤ＃１，ＩＤ＃２を基に名前解決サーバ３から属性ＤＢ（＃１）４Ａのアドレス「１３３．２０５．６４．１２０」を取得する。
【００３９】
これによって、情報検索手段１２はアドレス「１３３．２０５．６４．１２０」を基に属性ＤＢ（＃１）４Ａから「ビーフシチュー缶詰」が、「２００３．９．１」現在、「スーパー○○  ××店  ５Ｆ  食品棚Ａ−２」にあるという属性情報を検索して表示手段１３に表示するので、店員はその属性情報を得ることができる。
【００４０】
また、ＩＤ＃１として「０１．００００Ａ８９．０００１６Ｆ．０００１０９ＤＣ０」がリーダ１１にて読取られた時、会員顧客の持つ会員カードのＲＦＩＤタグ（＃２）２ＢからＩＤ＃２として「０１．００００Ｆ２１．０００２ＦＢ．０００２２０Ｂ１２」がリーダ１１にて読取られると、情報検索手段１２はそれらのＩＤ＃１，ＩＤ＃２を基に名前解決サーバ３から属性ＤＢ（＃２）４Ｂのアドレス「１３３．２０５．６５．１０１」を取得する。
【００４１】
これによって、情報検索手段１２はアドレス「１３３．２０５．６５．１０１」を基に属性ＤＢ（＃２）４Ｂから「ビーフシチュー缶詰」が「国産牛肉（長野産）、ニンジン（千葉産、有機栽培）、ジャガイモ（北海道、低農薬栽培）、…」からなるという属性情報を検索して表示手段１３に表示するので、会員顧客はその属性情報を得ることができる。
【００４２】
さらに、ＩＤ＃１として「０１．００００Ａ８９．０００１６Ｆ．０００１０９ＤＣ０」がリーダ１１にて読取られた時、ＩＤ＃２として何も入力されなければ、情報検索手段１２はそれらのＩＤ＃１，ＩＤ＃２（何も入力されないので「＊」）を基に名前解決サーバ３から属性ＤＢ（＃３）４Ｃのアドレス「１３３．２０５．６５．１３１」を取得する。
【００４３】
これによって、情報検索手段１２はアドレス「１３３．２０５．６５．１３１」を基に属性ＤＢ（＃３）４Ｃから「ビーフシチュー缶詰」であるという属性情報を検索して表示手段１３に表示するので、一般顧客はその属性情報を得ることができる。
【００４４】
このように、本実施例では、同一の物品について、その属性情報を取得する取得者（店員、会員顧客、一般顧客等）のＩＤタグによってユーザ毎に異なる属性情報の取得を制御することができ、その属性情報へのアクセス制御を容易に行うことができる。上記のように、販売店の店員、販売店の買い物客（会員顧客）、販売店の買い物客（一般顧客）各々が取得可能な情報を容易に変えることができる。
【００４５】
尚、属性ＤＢ（＃１〜＃３）４Ａ，４Ｂ，４Ｃは物理的に分けて設置するだけでなく、例えばＵＲＩ（Ｕｎｉｖｅｒｓａｌ  Ｒｅｓｏｕｒｃｅ  Ｉｄｅｎｔｉｆｉｅｒ）で「ｈｔｔｐ：／／ｗｗｗ．Ａ−ｓｔｏｒｅ．ｃｏｍ／ｓｔａｆｆ／」と「ｈｔｔｐ：／／ｗｗｗ．Ａ−ｓｔｏｒｅ．ｃｏｍ／ＶＩＰｃｕｓｔｏｍｅｒ／」とに分けることも可能である。
【００４６】
また、第二のＩＤは一つだけ指定するのでなく、範囲指定することも、他の条件ＤＢで条件を指定し、集合として指定することも可能である。さらに、本実施例では属性情報の読取りについて述べたが、属性情報の読取りに関するアクセス制御だけでなく、属性情報の書込みのためのアクセス制御にも適用可能である。
【００４７】
図５は本発明の他の実施例による属性情報検索システムの構成を示すブロック図である。図５において、本発明の他の実施例による属性情報検索システムは情報検索サーバ５内に位置センサ５１を設けた以外は図１に示す本発明の一実施例による属性情報検索システムと同様の構成となっており、同一構成要素には同一符号を付してある。
【００４８】
本実施例では、ＩＤタグ情報の一部を位置センサ５１からの情報で置き換えており、例えば位置センサ５１で位置情報を取得し、その位置情報を検索条件を加えて属性情報の取得を制御している。
【００４９】
図６は図５の情報検索サーバ５の属性情報検索動作を示すフローチャートである。これら図５及び図６を参照して本発明の他の実施例による情報検索サーバ５の属性情報検索動作について説明する。尚、図６に示す動作は情報検索サーバ５内のＣＰＵ（中央処理装置）（図示せず）が記録媒体１４のプログラムを実行することで実現される。
【００５０】
情報検索サーバ５のリーダ１１はＲＦＩＤタグ（＃１，＃２）２Ａ，２Ｂを検出すると（図６ステップＳ１１）、ＲＦＩＤタグ（＃１，＃２）２Ａ，２Ｂから第一のＩＤ及び第二のＩＤを読取り、ＩＤ＃１，ＩＤ＃２の値を得る（図６ステップＳ１２）。
【００５１】
ここで、ＩＤの読取りは読取り終了を示すボタンが押下された時、あるいは第一のＩＤが読取られてから予め設定された所定時間が経過した時に読取り終了と判定される（図６ステップＳ１３）。但し、本実施例では第一のＩＤ及び第二のＩＤに基づいて属性ＤＢ（＃１〜＃３）４Ａ，４Ｂ，４Ｃ各々のアドレスを取得しているため、第二のＩＤが読取られた段階で読取り終了としてもよい。
【００５２】
次に、情報検索サーバ５の情報検索手段１２は位置センサ５１から位置情報を取得し（図６ステップＳ１４）、リーダ１１が読取ったＩＤ＃１，ＩＤ＃２の値と位置情報との組合せで名前解決サーバ３に問合せる（図６ステップＳ１５）。名前解決サーバ３は情報検索サーバ１からのＩＤ＃１，ＩＤ＃２の値と位置情報との組合せに対して、属性ＤＢ（＃１〜＃３）４Ａ，４Ｂ，４Ｃのアドレスを情報検索サーバ１に返す。
【００５３】
情報検索サーバ１の情報検索手段１２は名前解決サーバ３から属性ＤＢ（＃１〜＃３）４Ａ，４Ｂ，４Ｃのアドレスを取得すると（図６ステップＳ１６）、そのアドレスによって属性ＤＢ（＃１〜＃３）４Ａ，４Ｂ，４Ｃに対してＩＤ＃１の情報を問合せ、属性ＤＢ（＃１〜＃３）４Ａ，４Ｂ，４ＣからＩＤ＃１の属性情報を取得し（図６ステップＳ１７）、その属性情報を表示手段１３に表示する（図６ステップＳ１８）。情報検索サーバ１は上記の処理を属性情報の取得処理が終了するまで（図６ステップＳ１９）、繰り返し行う。
【００５４】
これによって、本実施例では、上述した本発明の一実施例と同様に、同一の物品について、その属性情報を取得する取得者（店員、会員顧客、一般顧客等）のＩＤタグや位置情報によってユーザ毎に異なる属性情報の取得を制御することができ、その属性情報へのアクセス制御を容易に行うことができる。
【００５５】
尚、上記の説明では位置センサ５１を用いる場合について述べたが、各売り場に設けられた赤外線照射装置からの赤外線を受信する赤外線センサや、各売り場の温度を検知する温度センサ等の他のセンサを用いることは可能であり、これらに限定されない。
【図面の簡単な説明】
【００５６】
【図１】本発明の一実施例による属性情報検索システムの構成を示すブロック図である。
【図２】図１の名前解決サーバで用いられるテーブルの構成例を示す図である。
【図３】図１の属性ＤＢ各々の蓄積内容例を示す図である。
【図４】図１の情報検索サーバの属性情報検索動作を示すフローチャートである。
【図５】本発明の他の実施例による属性情報検索システムの構成を示すブロック図である。
【図６】図５の情報検索サーバの属性情報検索動作を示すフローチャートである。
【符号の説明】
【００５７】
１，５  情報検索サーバ
２Ａ，２Ｂ  ＲＦＩＤタグ（＃１，＃２）
３  名前解決サーバ
４Ａ，４Ｂ，４Ｃ  属性ＤＢ（＃１〜＃３）
１１  リーダ
１２  情報検索手段
１３  表示手段
１４  記録媒体
５１  位置センサ
【図１】
2005182672.tif 000003
【図２】
2005182672.tif 000004
【図３】
2005182672.tif 000005
【図４】
2005182672.tif 000006
【図５】
2005182672.tif 000007
【図６】
2005182672.tif 000008